(57)【要約】      （修正有）【課題】複数の記録層と一つのサーボ層を有する多層光記録媒体におけるサーボ層の情報と記録層の情報の分離を確実に行なって、記録及び再生の高速化を図ると共に、層間迷光の影響を受け難いようにした光ヘッド装置及びこれを用いた多層光記録媒体記録再生システムを提供する。【解決手段】多層光記録媒体記録再生システムは複数の記録層と一つのサーボ層とを有する多層光記録媒体１２と光ヘッド１４を有し、光ヘッド１４における記録再生用対物レンズ２２と、サーボ用対物レンズ３２とを同一のアクチュエータ１７に搭載し、且つ、記録再生用対物レンズ２２は微小駆動装置１８を介してアクチュエータ１７に搭載しサーボ用対物レンズ３２に対して相対的にフォーカス方向に微小駆動可能とされていてサーボ用対物レンズ３２をサーボ層に合焦させたとき、再生用光ビームを複数の記録層のうち目的の記録層に迅速に合焦させる。【選択図】図３
2010092529.tif 000002
【特許請求の範囲】
【請求項１】
信号再生用対物レンズを含む信号再生用光学系及びサーボ用対物レンズを含むサーボ信号検出用光学系を有してなり、複数の記録層と一つのサーボ層とを有する多層光記録媒体に、前記信号再生用対物レンズを介して再生用光ビームを照射し、且つ、その反射光を受光し、前記サーボ用対物レンズを介してサーボ用光ビームを照射し、且つ、その反射光を受光する光ヘッド装置であって、
前記信号再生用対物レンズ及びサーボ用対物レンズが同一のアクチュエータに搭載されていて、且つ、これら信号再生用対物レンズ及びサーボ用対物レンズの少なくとも一方が、焦点位置可変機構により焦点位置移動可能とされたことを特徴とする光ヘッド装置。
【請求項２】
請求項１において、前記焦点位置可変機構は、前記信号再生用対物レンズ及びサーボ用対物レンズの少なくとも一方を、前記アクチュエータに、フォーカス方向に微小駆動可能に搭載する微小駆動装置であることを特徴とする光ヘッド装置。
【請求項３】
請求項１において、
前記焦点位置可変機構は、前記信号再生用対物レンズ及びサーボ用対物レンズの少なくとも一方を焦点距離可変レンズとすることにより構成されたことを特徴とする光ヘッド装置。
【請求項４】
請求項１において、
前記信号再生用光学系及びサーボ信号検出用光学系は、各々コリメートレンズを備え、前記焦点位置可変機構は、前記信号再生用光学系及びサーボ信号検出用光学系の少なくとも一方のコリメートレンズを光軸方向に駆動するコリメートレンズ駆動装置であることを特徴とする光ヘッド装置。
【請求項５】
請求項１において、
前記焦点位置可変機構は、前記信号再生用光学系及びサーボ信号検出用光学系の少なくとも一方のコリメートレンズを、焦点距離可変レンズとすることにより構成されたことを特徴とする光ヘッド装置。
【請求項６】
請求項１において、
前記焦点位置可変機構は、前記信号再生用光学系及びサーボ信号検出用光学系の少なくとも一方の光学系に設置された、フォーカスジャンプ可能なエキスパンダーレンズによって構成されたことを特徴とする光ヘッド装置。
【請求項７】
請求項１乃至６のいずれかに記載の光ヘッド装置と、複数の記録層と一つのサーボ層とを有する多層光記録媒体と、を含む多層光記録媒体再生システム。
【請求項８】
請求項７において、
前記再生用対物レンズ及びサーボ用対物レンズは、その中心光軸が前記多層光記録媒体における同一のトラックに対応する位置で、且つ、トラックの長手方向に沿って配置されたことを特徴とする多層光記録媒体再生システム。
【請求項９】
請求項８において、
前記多層光記録媒体における前記サーボ層に、前記再生用対物レンズ及びサーボ用対物レンズの位置確認用トラックを設けたことを特徴とする多層光記録媒体再生システム。
【発明の詳細な説明】
【技術分野】
【０００１】
この発明は、複数の記録層と一つのサーボ層を有する多層光記録媒体の情報再生に用いる光ヘッド装置及びこの光ヘッド装置を含む多層光記録媒体再生システムに関する。
【背景技術】
【０００２】
特許文献１には、ホログラフィを利用して情報を記録する記録層を複数備えた多層光記録媒体におけるフォーカス制御やトラッキング制御等の、光ビーム照射についての焦点位置の制御について開示されている。
【０００３】
この特許文献１記載の発明では、多層光記録媒体の情報記録再生方法としては、サーボ層用のレーザ光源と、記録層用のレーザ光源とを別個に設け、これらからの光ビームを、同一の対物レンズを介して光記録媒体に照射して、フォーカスサーボやトラッキングサーボを含むサーボと記録再生とを同時に行なうようにしている。
【０００４】
ところが、サーボ層用の光ビームは、常に１つのサーボ層に合焦させ、一方、記録再生用の光ビームは、複数の記録層のうちの所定の記録層に合焦させる必要がある。
【０００５】
特許文献１記載の発明のように、同一の対物レンズによってサーボ用と記録再生用の光ビームの照射及びその反射光の受光をする場合は、サーボ用と記録再生用としては、タイミングを変えて、別々にフォーカシングすると共に、レーザ光源を異なる周波数で変調したり、時分割的にレーザ光源を点灯させて、サーボ層からの情報と記録層からの情報を分離しなければならない。
【０００６】
そのため、２倍速あるいは４倍速等の異なる速度への記録再生を行なう場合に、迅速なフォーカシングが困難であると共に、光源の変調周波数の設定が煩雑になり、これが記録再生の高速化の妨げになっていた。又、同一の対物レンズを介してサーボ光と記録再生光とを同時に照射し、又その反射光を受光しているので、情報再生時に、サーボ層と記録層、あるいは各記録層における層間迷光の影響がノイズとして発生し易いという問題点があった。
【０００７】
【特許文献１】特開２００７−４８７９号公報
【発明の開示】
【発明が解決しようとする課題】
【０００８】
この発明は、複数の記録層と一つのサーボ層を有する多層光記録媒体における、サーボ層の情報と記録層の情報の分離を確実にしつつ、サーボ光と記録再生光のフォーカシングを迅速に行なって、記録及び再生の高速化を図ると共に、層間迷光の影響を受け難い光ヘッド装置及び多層光記録媒体記録再生システムを提供することを課題とする。
【課題を解決するための手段】
【０００９】
（１）信号再生用対物レンズを含む信号再生用光学系及びサーボ用対物レンズを含むサーボ信号検出用光学系を有してなり、複数の記録層と一つのサーボ層とを有する多層光記録媒体に、前記信号再生用対物レンズを介して再生用光ビームを照射し、且つ、その反射光を受光し、前記サーボ用対物レンズを介してサーボ用光ビームを照射し、且つ、その反射光を受光する光ヘッド装置であって、前記信号再生用対物レンズ及びサーボ用対物レンズが同一のアクチュエータに搭載されていて、且つ、これら信号再生用対物レンズ及びサーボ用対物レンズの少なくとも一方が、焦点位置可変機構により焦点位置移動可能とされたことを特徴とする光ヘッド装置。
【００１０】
（２）（１）において、前記焦点位置可変機構を、前記信号再生用対物レンズ及びサーボ用対物レンズの少なくとも一方を、前記アクチュエータに、フォーカス方向に微小駆動可能に搭載する微小駆動装置であることを特徴とする光ヘッド装置。
【００１１】
（３）（１）において、前記焦点位置可変機構は、前記信号再生用対物レンズ及びサーボ用対物レンズの少なくとも一方を焦点距離可変レンズとすることにより構成されたことを特徴とする光ヘッド装置。
【００１２】
（４）（１）において、前記信号再生用光学系及びサーボ信号検出用光学系は、各々コリメートレンズを備え、前記焦点位置可変機構は、前記信号再生用光学系及びサーボ信号検出用光学系の少なくとも一方のコリメートレンズを光軸方向に駆動するコリメートレンズ駆動装置であることを特徴とする光ヘッド装置。
【００１３】
（５）（１）において、前記焦点位置可変機構は、前記信号再生用光学系及びサーボ信号検出用光学系の少なくとも一方のコリメートレンズを、焦点距離可変レンズとすることにより構成されたことを特徴とする光ヘッド装置。
【００１４】
（６）（１）において、前記焦点位置可変機構は、前記信号再生用光学系及びサーボ信号検出用光学系の少なくとも一方の光学系に設置された、フォーカスジャンプ可能なエキスパンダーレンズによって構成されたことを特徴とする光ヘッド装置。
【００１５】
（７）（１）乃至（６）のいずれかに記載の光ヘッド装置と、複数の記録層と一つのサーボ層とを有する多層光記録媒体と、を含む多層光記録媒体再生システム。
【００１６】
（８）前記再生用対物レンズ及びサーボ用対物レンズは、その中心光軸が、前記多層光記録媒体における同一のトラックに対応する位置で、且つ、トラックの長手方向に沿って配置されたことを特徴とする（７）に記載の多層光記録媒体再生システム。
【００１７】
（９）前記多層光記録媒体における前記サーボ層に、前記再生用対物レンズ及びサーボ用対物レンズの位置確認用トラックを設けたことを特徴とする（８）に記載の多層光記録媒体記録再生システム。
【発明の効果】
【００１８】
この発明の多層光記録媒体用の光ヘッド装置は、再生用対物レンズ及びサーボ用対物レンズを同一のアクチュエータによって駆動しつつ、少なくとも一方の焦点位置を、他方に対して相対的に、フォーカス方向に微小変化できるので、サーボ光と再生光とを同一の対物レンズを介して同時に照射した場合と比較して迅速にフォーカシングできると共に、非焦反射光が少ないので層間迷光の影響を受け難く、サーボ層の情報と記録層の情報の分離を確実に行ない、且つ再生の高速化をすることができるという効果を有する。
【発明を実施するための最良の形態】
【００１９】
以下本発明の実施例に係る光ヘッド装置及びこれを含む多層光記録媒体記録再生システムについて説明する。
【００２０】
図１に示されるように、この実施例１に係る多層光記録媒体記録再生システム（以下記録再生システム）１０は、多層光記録媒体１２と、光ヘッド装置（以下光ヘッド）１４と、光ヘッド１４からの信号に基づいて、再生（ＲＦ）信号や、トラッキングエラー（ＴＥ）信号、フォーカスエラー（ＦＥ）信号等を出力する検出回路４０と、検出回路４０の出力信号に基づいて、光ヘッド１４を制御したり、光ヘッド１４を多層光記録媒体１２の半径方向に駆動するための駆動装置１５及び多層光記録媒体１２を回転駆動するためのスピンドルモータ１６を制御する制御装置５０と、検出回路４０からのＲＦ信号より基本クロックを再生したりアドレスを判別したりする信号処理回路７０と、システムコントローラ７２及びＤ／Ａコンバータ７４とを備えて構成されている。
【００２１】
図２に示されるように、多層光記録媒体１２は、複数の記録層１２Ａ、１２Ｂ、１２Ｃ、１２Ｄ、・・・及びサーボ層１３を備えて構成されている。
【００２２】
光ヘッド１４は、図３に示されるように、信号記録再生用光学系２０と、サーボ信号検出用光学系３０と、アクチュエータ１７とを備えている。
【００２３】
このアクチュエータ１７には、図２に示されるように、信号記録再生用光学系２０における記録再生用対物レンズ２２、及び、サーボ信号検出用光学系３０におけるサーボ用対物レンズ３２が、これらの中心光軸２２Ａ、３２Ａが、多層光記録媒体１２の同一のトラック１３Ａ上に、該トラック１３Ａの長手方向に沿う（並ぶ）ように配置して搭載されている。このトラック１３Ａには、位置確認用トラックであることを示す情報が記録されていて、記録再生用対物レンズ２２及びサーボ用対物レンズ３２の中心光軸２２Ａ、３２Ａを通る光ビームがこの情報を検出したとき、正しい位置にあることを確認できるようにされている。
【００２４】
又、記録再生用対物レンズ２２は、フォーカス方向に微小駆動可能な微小駆動装置１８を介してアクチュエータ１７に取り付けられている。記録再生用対物レンズ２２は、アクチュエータ１７によってサーボ用対物レンズ３２と共に駆動されるが、微小駆動装置１８によって、サーボ用対物レンズ３２に対して相対的に微小変位して、サーボ用対物レンズ３２がサーボ層１３に合焦したとき、いずれかの記録層に合焦できるようにされている。
【００２５】
信号記録再生用光学系２０は、記録再生用のレーザ光を出射するレーザダイオードからなるレーザ光源２３と、このレーザ光源２３から出射された光ビームのｓ偏光又はｐ偏光の一方を図３において横方向に反射する偏光ビームスプリッタ２４と、この偏光ビームスプリッタ２４を通った光ビームを多層光記録媒体１２の特定の記録層に合焦させる上記記録再生用対物レンズ２２と、多層光記録媒体１２からの、上記光ビームの反射光が、記録再生用対物レンズ２２を経て偏光ビームスプリッタ２４透過した後の光ビームを受光する光検出器２５と、同一光軸ＯＡ２を備えて構成されている。
【００２６】
光軸ＯＡ２上には、レーザ光源２３と偏光ビームスプリッタ２４との間に、回折格子２６が配置され、又、偏光ビームスプリッタ２４と記録再生用対物レンズ２２との間には、コリメートレンズ２７、立上げミラー２８及びλ／４板２９がこの順で配置され、偏光ビームスプリッタ２４と受光器２５との間には、センサレンズ２１が配置されている。
【００２７】
コリメートレンズ２７は図示しない駆動装置によって光軸方向に移動可能とされている。センサレンズ２１は、円柱レンズと球面レンズ（図示省略）から構成されていて、センサレンズ２１を透過した光ビームが略４５°の方向に所定の非点収差が与えられるようになっている。この非点収差は、フォーカスエラー信号（ＦＥ信号）の検出に使用される。
【００２８】
アクチュエータ１７は、例えばボイスコイルモータからなり、制御装置５０からの信号に基づいてフォーカス動作、トラッキング動作、チルト動作を行なうように構成されている。
【００２９】
又、微小駆動装置１８は、ボイスコイルモータ、圧電素子、磁歪素子、ソレノイドあるいは他の方法で、フォーカス方向に記録再生用対物レンズ２２を微小駆動して、複数の記録層のいずれかへフォーカスジャンプできるようにされているが、いずれの記録層にジャンプするかは、多層光記録媒体１２からの情報及び検出器４０からの信号に基づいて、システムコントローラ７２から微小駆動装置１８へ出力される指示信号により選択される。
【００３０】
回折格子２６は、レーザ光源２３から直線偏光の発散光として出射された光ビームを、１本のメイン光ビームと２本のサブ光ビームに分岐するようにされている（詳細説明省略）。上記２本のサブ光ビームは、デファレンシャルプッシュプル方式（以下ＤＰＰ方式）によるトラッキングエラー信号（ＴＥ信号）の検出に用いられるものである。
【００３１】
信号記録再生用光学系２０は、前述のフォーカスエラー信号検出やトラッキングエラー信号検出を実行しない構成としても良い。
【００３２】
サーボ信号検出用光学系３０は、上記信号記録再生用光学系２０と同様の構成であって、同一の光軸ＯＡ３上に、レーザ光源３３とサーボ用対物レンズ３２との間に回折格子３６、偏光ビームスプリッタ３４、コリメートレンズ３７、立上げミラー３８及びλ／４板３９を、この順で備えている。又、多層光記録媒体１２からの反射光が、偏光ビームスプリッタ３４に戻ってこれを透過した後に、この光ビームを受光する受光器３５及び光検出器３５と偏光ビームスプリッタ３４との間に配置されたセンサレンズ３１とを備えている。
【００３３】
検出回路４０は、エラー検出回路４１、波形等化器４２、整形器４３から構成されていて、制御装置５０は、制御回路５１とドライバ６１とから構成されている。
【００３４】
制御回路５１は、フォーカス制御回路５２、トラッキング制御回路５３、チルト制御回路５４、フォーカスジャンプ制御回路５５、スライド制御回路５６及びスピンドル制御回路５７から構成されている。
【００３５】
又、ドライバ６１は、フォーカスドライバ６２、トラッキングドライバ６３、チルトドライバ６４、フォーカスジャンプドライバ６５、スライドドライバ６６及びスピンドルドライバ６７から構成されている。
【００３６】
制御装置５０は、上記構成によって、検出回路４０からのフォーカスエラー（ＦＥ）信号、トラッキングエラー（ＴＥ）信号等に基づいて、光ヘッド１４のフォーカスサーボ、トラッキングサーボ及びスライドサーボ等を行なうと共に、スピンドルモータ７２の回転を制御するように構成されている。
【００３７】
又、信号処理回路７０は、検出回路４０からのＲＦ信号に復調、誤り検出／訂正等の処理を施してデータを再生するデジタル信号処理を行ない、Ｄ／Ａコンバータ７４を介してデジタル信号であるデータをアナログ信号に変換してから出力端子（図示省略）に供給するようにされている。
【００３８】
次に、上記信号記録再生用光学系２０から光ビームを多層光記録媒体１２に照射して、再生信号を得る過程について説明する。
【００３９】
まず、再生用光ビームとサーボ用光ビームを、多層光記録媒体１２に照射して、ここに予め形成されている位置確認用のトラック１３Ａを検出するまで、アクチュエータ１７を、駆動装置１５により多層光記録媒体１２の半径方向に駆動して、記録再生用対物レンズ２２とサーボ用対物レンズ３２の光軸ＯＡ２及びＯＡ３の位置を確認する。
【００４０】
レーザ光源２３は直線偏光の光ビームを発散光として出射し、その光ビームは、回折格子２６に入射して、前述のように、１本のメイン光ビームと２本のサブ光ビーム（以下特に説明のない限り、これらをまとめて光ビームと称する）とされる。
【００４１】
回折格子２６を通過した光ビームは、偏光ビームスプリッタ２４において反射された後に、コリメートレンズ２７によってほぼ平行な光ビームに変換される。
【００４２】
コリメートレンズ２７を通過した後、光ビームは、立上げミラー２８によって、多層光記録媒体１２方向に反射され、ここから、λ／４板２９において直線偏光から円偏光に変換されてから、記録再生用対物レンズ２２を経て、多層光記録媒体１２の目的の記録層に合焦される。
【００４３】
記録層において光ビームが反射されて、その反射光ビームが記録再生用対物レンズ２２に入射し、λ／４板２９によって直線偏光に変換されてから、立上げミラー２８、コリメートレンズ２７を経て、偏光ビームスプリッタ２４に入射する。反射光（光ビーム）は、偏光ビームスプリッタ２４を透過して、センサレンズ２１を経て光検出器２５に入射し、この入射光に基づいて、光検出器２５は、再生（ＲＦ）信号を検出回路４０に出力する。
【００４４】
検出回路４０では、波形等化器４２、整形器４３を経て、ＲＦ信号を信号処理回路７０に出力し、信号処理回路７０は、ＲＦ信号に復調、誤り検出／訂正等の処理を施してデジタル信号処理を行なってからＤ／Ａコンバータ７４に送り、ここでは、デジタル信号であるデータがアナログ信号に変換されて出力端子に供給される。
【００４５】
一方、サーボ信号検出用光学系３０においては、レーザ光源３３から出射された光ビームは、信号記録再生用光学系２０におけると同様に、偏光ビームスプリッタ３４、コリメートレンズ３７、立上げミラー３８及びλ／４板３９をこの順で通って、サーボ用対物レンズ３２から、多層光記録媒体１２に照射される。
【００４６】
記録層からの反射光ビームは、前記と逆方向に、サーボ用対物レンズ３２、λ／４板３９、立上げミラー３８、コリメートレンズ３７を経て、偏光ビームスプリッタ３４を透過し、センサレンズ３１を経て、光検出器３５に入射する。光検出器３５は、この入射光に基づくサーボ信号を、検出回路４０に出力する。
【００４７】
サーボ信号検出用光学系３０の光検出器３５からの出力信号は、検出回路４０に入力され、検出回路４０は、エラー検出回路４１により、フォーカスエラー（ＦＥ）信号をフォーカス制御回路５２に、トラッキングエラー（ＴＥ）信号をトラッキング制御回路５３に、チルトエラー（ＴＥ）信号をチルト制御回路５４にそれぞれ出力し、フォーカスドライバ６２、トラッキングドライバ６３及びチルトドライバ６４を介して、アクチュエータ１７において、フォーカス制御、トラッキング制御及びチルト制御を実行する。
【００４８】
アクチュエータ１７は、記録再生用対物レンズ２２を通った光ビームが、目的の記録層に合焦するように記録再生用対物レンズ２２のフォーカス方向の位置を制御するが、同時に、サーボ用対物レンズ３２も記録再生用対物レンズ２２と同期して駆動する。従って、サーボ用光ビームがサーボ層１３に合焦しても、目的の記録層に再生用光ビームが合焦しないこともある。
【００４９】
一方、検出回路４０のエラー検出回路４１からのフォーカスジャンプ信号が、フォーカスジャンプ制御回路５５に出力され、フォーカスジャンプドライバ６５を介して、記録再生用対物レンズ２２を、微小駆動装置１８を介してフォーカス方向に、サーボ用対物レンズ３２に対して相対的に微小駆動し、目的の記録層に再生用光ビームを合焦させる素早いフォーカス制御を実行される。
【００５０】
従って、この実施例では、サーボ用対物レンズ３２に対して、記録再生用対物レンズ２２を相対的に、フォーカス方向に微小駆動することにより、サーボ用光ビームと再生用光ビームとを同一の対物レンズを介して同時に照射した場合と比較して、再生用光ビームを迅速にフォーカシングできると共に、多層光記録媒体１２の層間迷光の影響を受け難く、再生層の情報と記録層の情報の分離を確実に行ない、且つ情報再生の高速化を図ることができる。また、信号記録再生用光学系２０により、多層光記録媒体１２に、情報を記録する場合も、情報記録の高速化を図ることができる。
【００５１】
なお、上記実施例１において、サーボ信号検出用光学系３０におけるサーボ用対物レンズ３２が、信号処理再生用光学系２０における記録再生用対物レンズ２２に対して相対的に微小駆動できるようにされているが、本発明はこれに限定されるものでなく、サーボ用対物レンズ３２側にのみ微小駆動装置を設けても良い。この場合、再生用光ビームをいずれかに合焦させると同時に、微小駆動装置によってサーボ用光ビームをサーボ層１３に合焦させることになる。又、記録再生用対物レンズ２２とサーボ用対物レンズ３２の両方を微小駆動装置によって駆動できるようにしてもよい。
【００５２】
また、微小駆動装置に代えて、記録再生用対物レンズ２２及びサーボ用対物レンズ３２の一方又は両方の焦点位置を変化できる焦点位置可変機構を用いても良い。この焦点位置可変機構として、図４に示されるように、どちらか一方の対物レンズを液体レンズ８０（例えば、フランス国Ｖａｒｉｏｐｔｉｃ社製）を用いて焦点距離可変として、各対物レンズの焦点距離を相対的にずらして、各記録層へフォーカスジャンプを行っても良い。
【００５３】
液体レンズ８０は、透明で平行な一対の基板８０Ａ、８０Ｂの間に、ほぼ平行に水溶液層８０Ｃ及びオイル層８０Ｄを設け、水溶液８０Ｃにはカソード電極８０Ｅ、オイル層８０Ｄにはアノード電極８０Ｆを接続し、透過光が、電圧を印加しないときは発散光となり（図４（Ａ）参照）、電圧を印加したときは、収束光（図４（Ｂ）参照）となるように、２つの層の境界が変化するようにしたものである。
【００５４】
更に、焦点位置可変機構は、図５に示されるように、少なくとも一方の光学系のコリメートレンズ、例えばコリメートレンズ２７を光軸方向に移動させるコリメートレンズ移動機構８２としてもよい。このコリメートレンズ移動機構８２は、ソレノイド８２Ａにより、コリメートレンズ２７のレンズホルダー８２Ｂを介して、コリメートレンズ２７を光軸方向に駆動するものである。
【００５５】
又、図６に示されるように、コリメートレンズを前記液体レンズ８０と同様の構成の液体レンズ８４とする構成としてもよい。この場合、アクチュエータに微小駆動装置などを搭載しないので、アクチュエータが大型にならない利点がある。
【００５６】
更に又、図７に示されるようにどちらかの光学系にエキスパンダーレンズ８６を設置して、フォーカスジャンプをするようにしても良い。エキスパンダーレンズ８６は、ビーム径を拡大するものであり、凹レンズ８６Ａと凸レンズ８６Ｂとを組合せて（凸レンズと凸レンズでもよい）、これらの間隔を調整することにより、記録再生用対物レンズ２２に入射する光の発散収束度合いを補正するものである。ここでは、凸レンズ８６Ｂがコリメートレンズ移動機構８２と同様にソレノイド８６Ｃとレンズホルダー８６Ｄの組合せによって光軸方向に移動されるようになっている。この場合もアクチュエータに微小駆動装置などを搭載しないので、アクチュエータが大型にならない利点があり、かつ、エキスパンダーレンズ８６の動作が小さくても大きい量のフォーカスジャンプを行うことができる。
【００５７】
なお、上記実施例は、本発明を、多層光記録媒体の記録再生システム及びこれに用いる光ヘッド装置に適用したものであるが、本発明はこれに限定されず、記録を行わない再生システム、あるいはこれに用いられる再生用光ヘッド装置についても適用される。
【図面の簡単な説明】
【００５８】
【図１】本発明の実施例１に係る光ヘッド装置を含む多層光記録媒体記録再生システムを示すブロック図
【図２】同実施例における多層光記録媒体と光ヘッドにおける記録再生用対物レンズ及びサーボ用対物レンズの位置関係を模式的に示す一部断面とした斜視図
【図３】同実施例１における光ヘッドの光学系及び回路を示すブロック図
【図４】同実施例における焦点位置可変機構を液体レンズとした場合の要部を模式的に示す断面図
【図５】同焦点位置可変機構を、コリメートレンズ移動機構とした場合の要部を模式的に示す断面図
【図６】同焦点位置可変機構を、コリメートレンズを液体レンズに代えた構成とした場合の要部を模式的に示す断面図
【図７】同焦点位置可変機構を、エキスパンダレンズとした場合の要部を模式的に示す断面図
【符号の説明】
【００５９】
１０…多層光記録媒体記録再生システム
１２…多層光記録媒体
１２Ａ、１２Ｂ、１２Ｃ、１２Ｄ…記録層
１３…サーボ層
１３Ａ…位置確認用トラック
１４…多層光記録媒体用光ヘッド装置（光ヘッド）
１５…駆動装置
１７…アクチュエータ
１８…微小駆動装置
２０…信号記録再生用光学系
２２…記録再生用対物レンズ
３０…サーボ信号検出用光学系
３２…サーボ用対物レンズ
４０…検出回路
５０…制御装置
５１…制御回路
７０…信号処理回路
８０、８４…液体レンズ
８２…コリメートレンズ移動機構
８６…エキスパンダーレンズ
【図１】
2010092529.tif 000003
【図２】
2010092529.tif 000004
【図３】
2010092529.tif 000005
【図４】
2010092529.tif 000006
【図５】
2010092529.tif 000007
【図６】
2010092529.tif 000008
【図７】
2010092529.tif 000009